(57)【特許請求の範囲】
【請求項１】
モータに対して軸線方向の一方側で当該モータの回転を出力軸に伝達する輪列と、
前記輪列に対して軸線方向の一方側で前記出力軸の角度位置を検出する検出部材と、
前記輪列の周りを覆うケースと、
前記ケースの外部から前記モータへの給電、および前記ケースの外部への前記検出部材での検出結果の出力を行う入出力部と、
前記輪列と前記ケースとの間を通って前記検出部材および前記モータのうちの一方側から前記入出力部まで延在するリード線と、
前記リード線と前記輪列との間に介在する隔壁と、
を有し、
前記隔壁と前記ケースの間隔は、前記リード線において前記隔壁と前記ケースとの間以外に位置する部分の外径寸法より狭いことを特徴とするギアードモータ。
【請求項２】
前記隔壁には、前記リード線に対して周方向から離間する位置に切り欠きが形成されており、
軸線方向からみたとき、前記輪列に用いた複数の歯車のいずれかの一部が前記切り欠き内に位置することを特徴とする請求項１に記載のギアードモータ。
【請求項３】
前記隔壁に対して軸線方向で隣り合う位置には、前記リード線の周方向での位置決めを行うリード線位置決め部が設けられていることを特徴とする請求項２に記載のギアードモータ。
【請求項４】
前記リード線位置決め部は、周方向の一方側が開放状態にあることを特徴とする請求項３に記載のギアードモータ。
【請求項５】
前記ケースには、軸線方向において前記リード線位置決め部から離間する位置で前記リード線を軸線方向に対して交差する方向にガイドするガイド部が設けられていることを特徴とする請求項３または４に記載のギアードモータ。
【請求項６】
前記隔壁は、前記ケース内において、前記モータと前記輪列との間で、前記輪列に用いた複数の歯車のいずれか、および前記モータのうちの少なくとも一方を支持する支持部材
に設けられていることを特徴とする請求項１乃至５の何れか一項に記載のギアードモータ。
【請求項７】
前記支持部材には、前記ケースが軸線方向および径方向で部分的に当接していることを特徴とする請求項６に記載のギアードモータ。
【請求項８】
前記リード線は、前記検出部材の側から前記入出力部まで延在していることを特徴とする請求項１乃至７の何れか一項に記載のギアードモータ。
【請求項９】
前記入出力部は、軸線方向において前記モータに対して他方側に設けられていることを特徴とする請求項８に記載のギアードモータ。
【請求項１０】
請求項１乃至９の何れか一項に記載のギアードモータを備えた自動開閉ユニットであって、
前記出力軸には蓋材が連結されていることを特徴とする自動開閉ユニット。
【発明の詳細な説明】
【技術分野】
【０００１】
本発明は、出力軸の角度位置を検出する検出部材を備えたギアードモータ、および当該ギアードモータを備えた自動開閉ユニットに関するものである。
【背景技術】
【０００２】
洋式トイレの便蓋や洗濯機の蓋等を自動開閉する自動開閉ユニットでは、ギアードモータの出力軸に蓋材を取り付けて、蓋体の駆動を行う。その際、出力軸の角度位置を検出することを目的に、出力軸や輪列の後段側の歯車にポテンショメータ等の検出部材が設けられる。ここで、出力軸や輪列の後段側の歯車は、輪列に対してモータと反対側に設けられることになる（特許文献１）。
【先行技術文献】
【特許文献】
【０００３】
【特許文献１】特開２００５−２８２０３４号公報
【発明の概要】
【発明が解決しようとする課題】
【０００４】
特許文献１に記載のギアードモータにおいては、軸線方向の１個所に設けた入出力部で、ケースの外部からモータへの給電、およびケースの外部への検出部材での検出結果の出力を行うことが好ましいが、それには、モータ側から延在するリード線、あるいは検出部材側から延在するリード線を輪列とケースとの間を通す必要があるが、その場合、リード線と輪列に用いた歯車とが接触するおそれがある、このような接触が発生すると、歯車の回転が阻害される事態や、リード線の被覆が破れて短絡する等の不具合が発生するので、好ましくない。
【０００５】
以上の問題点に鑑みて、本発明の課題は、輪列を挟んで反対側に配置されたモータおよび検出部材に対する入出力部を１個所に配置した場合でも、リード線と輪列に用いた歯車との接触が発生しにくいギアードモータおよび自動開閉ユニットを提供することにある。
【課題を解決するための手段】
【０００６】
上記課題を解決するために、本発明に係るギアードモータは、モータに対して軸線方向の一方側で当該モータの回転を出力軸に伝達する輪列と、前記輪列に対して軸線方向の一方側で前記出力軸の角度位置を検出する検出部材と、前記輪列の周りを覆うケースと、前記ケースの外部から前記モータへの給電、および前記ケースの外部への前記検出部材での検出結果の出力を行う入出力部と、前記輪列と前記ケースとの間を通って前記検出部材および前記モータのうちの一方側から前記入出力部まで延在するリード線と、前記リード線と前記輪列との間に介在する隔壁と、を有し、前記隔壁と前記ケースの間隔は、前記リード線において前記隔壁と前記ケースとの間以外に位置する部分の外径寸法より狭いことを特徴とする。
【０００７】
本発明では、輪列を挟んで反対側に配置されたモータおよび検出部材を配置し、モータおよび検出部材に対する入出力部を１個所に設けてある。このため、外部との電気的な接続が容易である。この場合、検出部材またはモータから入出力部まで延在するリード線は、輪列とケースとの間を通ることになるが、リード線と輪列との間には隔壁が介在する。このため、リード線と輪列に用いた歯車との接触が発生しにくい。また、隔壁とケースの間隔は、リード線において隔壁とケースとの間以外に位置する部分の外径寸法より狭いため、リード線は、隔壁とケースとの間に保持される。従って、リード線が不用意に動かないので、リード線と輪列に用いた歯車との接触が発生しにくい。
【０００８】
本発明において、前記隔壁には、前記リード線に対して周方向から離間する位置に切り欠きが形成されており、軸線方向からみたとき、前記輪列に用いた複数の歯車のいずれかの一部が前記切り欠き内に位置することが好ましい。かかる構成によれば、隔壁を設けた
場合でも、隔壁の切り欠きを歯車を配置する部位として利用するため、隔壁を設けた場合でも、軸線に直交する方向のギアードモータのサイズの増大を最小限に止めることができる。
【０００９】
本発明において、前記隔壁に対して軸線方向で隣り合う位置には、前記リード線の周方向での位置決めを行うリード線位置決め部が設けられていることが好ましい。かかる構成によれば、切り欠きに設けた歯車とリードとの接触を抑制することができる。
【００１０】
本発明において、前記リード線位置決め部は、周方向の一方側が開放状態にあることが好ましい。かかる構成によれば、リード線を開放状態にある一方側からリード線位置決め部の内側にリード線を通すことができる。
【００１１】
本発明において、前記ケースには、軸線方向において前記リード線位置決め部から離間する位置で前記リード線を軸線方向に対して交差する方向にガイドするガイド部が設けられていることが好ましい。かかる構成によれば、リード線の弛みを抑制することができるので、リード線と輪列に用いた歯車との接触が発生しにくい。
【００１３】
本発明において、前記隔壁は、前記ケース内において、前記モータと前記輪列との間で、前記輪列に用いた複数の歯車のいずれか、および前記モータのうちの少なくとも一方を支持する支持部材に設けられていることが好ましい。かかる構成によれば、隔壁を設けるために部材を追加する必要がない。
【００１４】
本発明において、前記支持部材には、前記ケースが軸線方向および径方向で部分的に当接していることが好ましい。かかる構成によれば、支持部材とケースとの位置決めを行うことができるので、ケースに対して所定の位置に隔壁を設けることができる。
【００１５】
本発明において、前記リード線は、前記検出部材の側から前記入出力部まで延在している構成を採用することができる。
【００１６】
本発明において、前記入出力部は、軸線方向において前記モータに対して他方側に設けられている構成を採用することができる。
【００１７】
本発明を適用したギアードモータは自動開閉ユニット等に用いることができ、自動開閉ユニットでは、前記出力軸には蓋材が連結される。
【発明の効果】
【００１８】
本発明では、輪列を挟んで反対側に配置されたモータおよび検出部材を配置し、モータおよび検出部材に対する入出力部を１個所に設けてある。このため、外部との電気的な接続が容易である。この場合、検出部材またはモータから入出力部まで延在するリード線は、輪列とケースとの間を通ることになるが、リード線と輪列との間には隔壁が介在する。このため、リード線と輪列に用いた歯車との接触が発生しにくい。また、隔壁とケースの間隔は、リード線において隔壁とケースとの間以外に位置する部分の外径寸法より狭いため、リード線は、隔壁とケースとの間に保持される。従って、リード線が不用意に動かないので、リード線と輪列に用いた歯車との接触が発生しにくい。
【図面の簡単な説明】
【００１９】
【図１】本発明を適用したギアードモータを備えた自動開閉ユニットの説明図である。
【図２】本発明を適用したギアードモータの内部構成を示す説明図である。
【図３】本発明を適用したギアードモータに構成した輪列の説明図である。
【図４】本発明を適用したギアードモータの輪列における各歯車の噛合関係を展開して模式的に示す説明図である。
【図５】本発明を適用したギアードモータの輪列における支軸の支持構造を一方側からみた説明図である。
【図６】本発明を適用したギアードモータの輪列における支軸の支持構造を他方側からみた説明図である。
【図７】本発明を適用したギアードモータの輪列における支軸を支持する部分の説明図である。
【図８】本発明を適用したギアードモータの出力軸の説明図である。
【図９】本発明を適用した別のギアードモータにおける支持部材の位置決め構造を模式的に示す説明図である。
【発明を実施するための形態】
【００２０】
図面を参照して、本発明を適用したギアードモータおよび自動開閉ユニットを説明する。なお、以下の説明では、出力軸の回転中心軸線を軸線Ｌとして説明する。
【００２１】
（全体構成）
図１は、本発明を適用したギアードモータ１を備えた自動開閉ユニット１００の説明図であり、図１（ａ）、（ｂ）は、ギアードモータ１を出力軸３が突出している側（軸線Ｌ方向の一方側Ｌ１）からみた斜視図、およびギアードモータ１を出力軸３が突出している側とは反対側（軸線Ｌ方向の他方側Ｌ２）からみた斜視図である。図２は、本発明を適用したギアードモータ１の内部構成を示す説明図であり、図２（ａ）、（ｂ）、（ｃ）は、ギアードモータ１から第１ケース部材２１およびカバー２５を外した状態の分解斜視図、さらに第２ケース部材や検出部材９１等の図示を省略した場合の斜視図、およびさらにアシストバネ７０を外した状態の分解斜視図である。なお、本形態のギアードモータ１においてリード線９５は３本が用いられているが、図２（ａ）には、リード線９５を１本のみ図示してある。
【００２２】
図１に示すように、本形態のギアードモータ１は、全体として略円筒状のケース２を有しており、ケース２から軸線Ｌ方向の一方側Ｌ１へは出力軸３の先端部３０１が突出している。先端部３０１の側面は、相対向する２つの平坦面が形成されている。ギアードモータ１を用いて自動開閉ユニット１００を構成する場合、出力軸３の先端部３０１には、一点鎖線で示す蓋材１０が連結される。蓋材１０は、洋式トイレの便蓋や便座である。また、蓋材１０は、洗濯機の蓋材であってもよい。
【００２３】
かかる自動開閉ユニット１００において、ギアードモータ１は、出力軸３を軸線Ｌ周りに回転させて蓋材１０の開閉を行う。例えば、ギアードモータ１は、出力軸３を軸線Ｌ周りの一方方向Ｒ１に回転させて蓋材１０を開方向に駆動する一方、出力軸３を軸線Ｌ周りの他方方向Ｒ２に回転させて蓋材１０を閉方向に駆動する。本形態の自動開閉ユニット１００において、蓋材１０は、洋式トイレの便蓋や便座である。このため、自動開閉ユニット１００は、出力軸３が水平となるように配置され、蓋材１０は、水平な軸線周りに駆動される。
【００２４】
本形態のギアードモータ１において、ケース２は、軸線Ｌ方向の一方側Ｌ１に向けて開口する第１ケース部材２１と、第１ケース部材２１に対して軸線Ｌ方向の一方側Ｌ１で他方側Ｌ２に向けて開口する第２ケース部材２２とを有している。従って、第２ケース部材２２の一方側Ｌ１の端面には出力軸３の先端部３０１を突出させる穴２２３が形成されている。本形態では、第２ケース部材２２のフランジ部２２０に止められたネジ（図示せず）によって、第１ケース部材２１と第２ケース部材２２とが結合される。
【００２５】
以下、軸線Ｌ方向の一方側Ｌ１については単に一方側Ｌ１として説明し、軸線Ｌ方向の他方側Ｌ２については単に他方側Ｌ２として説明する。
【００２６】
図１および図２に示すように、第２ケース部材２２は、円筒状の筒部２２１と、筒部２２１から径方向に突出した中空のセンサ支持部２２５とを有している、センサ支持部２２５の内部にはセンサ歯車９７が配置され、センサ歯車９７の一方側には、出力軸３の角度位置を検出する検出部材９１やセンサ基板９２が配置される。また、センサ支持部２２５には一方側Ｌ１からカバー２５が被せられる。その際、カバー２５の側面に形成された係合突起２５８に第２ケース部材２２のフック２２８が係合し、カバー２５が第２ケース部材２２に固定される。この状態で、センサ歯車９７、検出部材９１およびセンサ基板９２は、板状の保護部材２７を介してカバー２５によって一方側Ｌ１が覆われる。
【００２７】
ケース２の内部には、出力軸３を回転駆動する駆動機構４が設けられている。駆動機構４は、正逆回転が可能なモータ４０と、モータ４０の回転を出力軸３に伝達する輪列５０とを有しており、輪列５０は、モータ４０の回転を減速して出力軸３に伝達する減速輪列として構成されている。また、第２ケース部材２２の筒部２２１の内側には、出力軸３の周りに捩じりコイルバネからなるアシストバネ７０が配置されている。アシストバネ７０の一方の端部７１は出力軸３と係合し、アシストバネ７０の他方の端部７２は第２ケース部材２２の側と係合している。アシストバネ７０は、付勢力を発揮するように変形させた状態で組み込まれており、アシストバネ７０は、図１に示す一方方向Ｒ１の付勢力を発揮する。かかる一方方向Ｒ１は、蓋材１０を平伏状態から起立させる方向であり、蓋材１０を重力に抗して回転させる方向である。従って、アシストバネ７０は、駆動機構４による駆動を補助する。
【００２８】
モータ４０は、第１ケース部材２１の内側にモータ軸（図示せず）を一方側Ｌ１に向けて配置され、モータ４０に対して一方側Ｌ１では、第１ケース部材２１の内側および第２ケース部材２２の内側に輪列５０が配置される。モータ４０の他方側Ｌ２にはモータ基板４８が配置され、モータ基板４８の他方側には、ケース２の外部からモータ基板４８を介してモータへの給電、およびケース２の外部への検出部材９１での検出結果の出力を行う入出力部４９が配置されている。本形態において、入出力部４９はコネクタによって構成されており、第１ケース部材２１の他方側Ｌ２の端部２１５には入出力部４９（コネクタ）を他方側Ｌ２から覆うカバー部２１６が形成されている。本形態では、入出力部４９がコネクタによって構成されていたが、後述するリード線９５やモータ４０に対する給電用のリード線の引き出し部として入出力部４９が構成されていてもよい。
【００２９】
（輪列５０の概略構成）
図３は、本発明を適用したギアードモータ１に構成した輪列５０の説明図であり、図３（ａ）、（ｂ）、（ｃ）は、輪列５０等を軸線Ｌ方向の一方側Ｌ１からみた斜視図、出力軸３を外した状態を軸線Ｌ方向の一方側Ｌ１からみた分解斜視図、および出力軸３を外した状態を軸線Ｌ方向の他方側Ｌ２からみた斜視図である。図４は、本発明を適用したギアードモータ１の輪列５０における各歯車の噛合関係を展開して模式的に示す説明図である。
【００３０】
図２に示すように、本形態では、輪列５０を配置するにあたって、第２ケース部材２２において他方側Ｌ２に向く部分を輪列５０に対する第１支持部材８１として利用する。また、輪列５０を配置するにあたって、第２ケース部材２２（第１支持部材８１）の他方側Ｌ２に第２支持部材８２が配置され、第２支持部材８２の他方側Ｌ２に第３支持部材８３が配置される。第３支持部材８３は、第１ケース部材２１の内側に位置し、第２支持部材８２は、第１ケース部材２１と第２ケース部材２２との間に保持される。また、第３支持
部材８３は、モータ４０の固定部材として利用される。より具体的には、モータ４０は、第３支持部材８３に対してネジ４０９によって固定され、この状態で、モータ４０のモータ軸（図示せず）は、第３支持部材８３から一方側Ｌ１に突出する。
【００３１】
また、第１支持部材８１と第２支持部材８２との間、第２支持部材８２と第３支持部材８３との間、および第１支持部材８１と第３支持部材８３との間に、歯車を支持する支軸を設ける。
【００３２】
より具体的には、図３および図４に示すように、輪列５０は、１番車５１、２番車５２、３番車５３および４番車５４を有しており、１番車５１は、第３支持部材８３と第２支持部材８２とに両端が支持された第１支軸６１（固定軸）によって回転可能に支持されている。かかる１番車５１は、モータピニオン４０５に噛合する大径歯車５１１と、大径歯車５１１の一方側Ｌ１に同軸に形成された小径歯車５１２とを有している。２番車５２は、第３支持部材８３と第２支持部材８２とに両端が支持された第２支軸６２（固定軸）によって回転可能に支持されている。かかる２番車５２は、１番車５１の小径歯車５１２に噛合する大径歯車５２１と、大径歯車５２１の一方側Ｌ１に同軸に形成された小径歯車５２２とを有している。
【００３３】
３番車５３は、第３支持部材８３と第１支持部材８１とに両端が支持された第３支軸６３（固定軸）によって回転可能に支持されている。かかる３番車５３は、２番車５２の小径歯車５２２に噛合する大径歯車５３１と、大径歯車５３１の一方側Ｌ１に同軸に形成された小径歯車５３２とを有している。本形態では、３番車５３は、大径歯車５３１と小径歯車５３２とが同軸に配置された別部材によって構成されており、大径歯車５３１を構成する部材と小径歯車５３２を構成する部材との間には、リング状のクラッチ部材が配置されている。このため、大径歯車５３１と小径歯車５３２との間に大きな負荷が加わった際、大径歯車５３１を構成する部材と小径歯車５３２を構成する部材とが空周りする。従って、例えば、モータ４０が輪列５０を介して出力軸３を駆動している途中で、図１に示す蓋材１０が手動で操作される等、出力軸３に過大な外力が加わった場合でも、輪列５０が損傷しない。
【００３４】
４番車５４は、第２支持部材８２と第１支持部材８１とに両端が支持された第４支軸６４（固定軸）によって回転可能に支持されている。かかる４番車５４は、３番車５３の小径歯車５３２に噛合する大径歯車５４１と、大径歯車５４１の一方側Ｌ１に同軸に形成された小径歯車５４２とを有している。また、小径歯車５４２には、出力軸３の歯３５３が噛合している。
【００３５】
（支持部材の位置決め構造）
このように輪列５０を支持するにあたっては、第１支持部材８１、第２支持部材８２および第３支持部材８３を軸線Ｌに対して直交する方向で正確に位置決めする必要がある。そこで、本形態では、第１支持部材８１、第２支持部材８２および第３支持部材８３のうち、第１支持部材８１または第２支持部材８２は、他の２つの支持部材を軸線方向に対して直交する方向の位置決めを行う位置決め部を備えている。本形態において、第１支持部材８１は、他の２つの支持部材（第２支持部材８２および第３支持部材８３）を軸線Ｌに対して直交する方向の位置決めを行う位置決め部を備えている。
【００３６】
より具体的には、図４に示すように、第１支持部材８１は、他方側Ｌ２に向かって突出する２本の位置決め突起８１５、８１６が形成されている。また、第２支持部材８２は、位置決め突起８１５、８１６が各々貫通する位置決め穴８２５、８２６が形成されており、第３支持部材８３には、位置決め突起８１５、８１６のうち、第２支持部材８２の位置決め穴８２５、８２６を貫通し端部が嵌る位置決め穴８３５、８３６が形成されている。
【００３７】
このため、第２支持部材８２および第３支持部材８３は、第１支持部材８１を基準に軸線Ｌ方向に対して直交する方向に正確に位置決めされている。
【００３８】
（支持部材の詳細構成）
図５は、本発明を適用したギアードモータ１の輪列５０における支軸の支持構造を一方側Ｌ１からみた説明図であり、図５（ａ）、（ｂ）は、第３支持部材８３を外した状態を軸線Ｌ方向の一方側Ｌ１からみた分解斜視図、さらに第２支持部材８２を外した状態を軸線Ｌ方向の一方側Ｌ１からみた分解斜視図である。図６は、本発明を適用したギアードモータ１の輪列５０における支軸の支持構造を他方側Ｌ２からみた説明図であり、図６（ａ）、（ｂ）は、第３支持部材８３を外した状態を軸線Ｌ方向の他方側Ｌ２からみた分解斜視図、さらに第２支持部材８２を外した状態を軸線Ｌ方向の他方側Ｌ２からみた分解斜視図である。なお、図５および図６では、歯車の図示を省略してある。
【００３９】
図７は、本発明を適用したギアードモータ１の輪列５０における支軸を支持する部分の説明図である。図７において、図７（ａ）、（ｂ）、（ｃ）、（ｄ）は、輪列５０が第２支持部材８２に支持されている様子を軸線Ｌ方向の一方側Ｌ１からみた平面図、第３支持部材８３を軸線Ｌ方向の一方側Ｌ１からみた平面図、第２支持部材８２を軸線Ｌ方向の一方側Ｌ１からみた平面図、および第３支持部材８３（第２ケース部材２２）を軸線Ｌ方向の一方側Ｌ１からみた平面図である。図７において、図７（ｅ）、（ｆ）、（ｇ）、（ｈ）は、第３支持部材８３を軸線Ｌ方向の他方側Ｌ２からみた底面図、第２支持部材８２を軸線Ｌ方向の他方側Ｌ２からみた底面図、第３支持部材８３（第２ケース部材２２）を軸線Ｌ方向の他方側Ｌ２からみた底面図、および輪列５０が第２支持部材８２に支持されている様子を軸線Ｌ方向の他方側Ｌ２からみた底面図である。
【００４０】
図５、図６および図７に示すように、第３支持部材８３は、略円形の底板部８３１を有しており、底板部８３１の外周縁において周方向の離間する位置からは隔壁８３２、８３３、８３４が一方側Ｌ１に突出している。第３支持部材８３において、隔壁８３２と隔壁８３３との間は切り欠き８３８ａになっており、隔壁８３３と隔壁８３４との間は切り欠き８３８ｂになっている。
【００４１】
隔壁８３２、８３３、８３４のうち、隔壁８３４は、一方側Ｌ１の端部に扇形形状をもって径方向外側に突出した板状の突出部８３４ｊを有しており、第３支持部材８３を第１ケース部材２１に収容した際、第１ケース部材２１の内周壁２１０に形成した段部（図示せず）が他方側Ｌ２から当接するとともに、段部に形成した突起が突出部８３４ｊに形成した穴８３４ｋに嵌る。このようにして、第１ケース部材２１と第３支持部材８３との軸線Ｌ方向の位置決めが行われる。
【００４２】
隔壁８３２および隔壁８３３は、隔壁８３４より一方側Ｌ１に突出しており、隔壁８３２の一方側Ｌ１の端面および隔壁８３３の一方側Ｌ１の端面は、第２支持部材８２の他方側Ｌ２の面に当接する。隔壁８３２の一方側Ｌ１の端面には、図４を参照して説明した位置決め穴８３５が形成され、隔壁８３３の一方側Ｌ１の端面には、図４を参照して説明した位置決め穴８３６が形成されている。隔壁８３２および隔壁８３３において、位置決め穴８３５、８３６が形成されている部分は、径方向外側に突出した円筒部８３５ａ、８３６ａになっており、第３支持部材８３を第１ケース部材２１に収容した際、第１ケース部材２１の内周壁２１０が円筒部８３５ａ、８３６ａに径方向外側から当接する。このようにして、第１ケース部材２１と第３支持部材８３との軸線Ｌに直交する方向の位置決めが行われる。
【００４３】
第３支持部材８３において、底板部８３１には、第１支軸６１の他方側Ｌ２の端部６１
ａを支持する軸穴８３１ａと、第２支軸６２の他方側Ｌ２の端部６２ａを支持する軸穴８３１ｂとが形成されている。また、第３支持部材８３において、隔壁８３４の一方側Ｌ１の端面には第３支軸６３の他方側Ｌ２の端部６３ａを支持する軸穴８３１ｃが形成されている。
【００４４】
このようにして第２支軸６２および第３支軸６３を支持した結果、２番車５２の大径歯車５２１の一部は、軸線Ｌ方向からみたとき、切り欠き８３８ａ内に位置し、２番車５２の大径歯車５２１の一部は、軸線Ｌ方向からみたとき、切り欠き８３８ａ内に位置し、１番車５１の大径歯車５１１の一部は、軸線Ｌ方向からみたとき、切り欠き８３８ｂ内に位置する。また、３番車５３の大径歯車５３１の一部は、突出部８３４ｊより径方向外側にわずかに張り出すが、第１ケース部材２１の内周壁２１０には接触しない。
【００４５】
第２支持部材８２において、略矩形の本体部８２１には、３番車５３の小径歯車５３２を貫通させる半円状の切り欠きからなる貫通部８２２が形成されており、かかる貫通部８２２を第３支軸６３が通っている。また、本体部８２１の他方側Ｌ２の面には、第１支軸６１の一方側Ｌ１の端部６１ｂを支持する軸穴８２１ａと、第２支軸６２の一方側Ｌ１の端部６２ｂを支持する軸穴８２１ｂとが形成されている。また、本体部８２１の一方側Ｌ１の面には、第４支軸６４の他方側Ｌ２の端部６４ａを支持する軸穴８２１ｄが形成されている。
【００４６】
また、第２支持部材８２において、略矩形の本体部８２１には、図４を参照して説明した位置決め穴８２５、８２６が貫通穴として形成されている。
【００４７】
さらに、第２支持部材８２の外縁には、本体部８２１の湾曲部８２１ｓに沿うように延在したフック状突起８２９が形成されており、フック状突起８２９の先端は、径方向内側に屈曲している。かかるフック状突起８２９と湾曲部８２１ｓとによって囲まれた部分が、後述するリード線位置決め部８２９ａとして利用される。
【００４８】
本体部８２１の一方側Ｌ１の面には、出力軸３を回転可能に支持する軸部８２７が形成されており、かかる軸部８２７は、本体部８２１の一方側Ｌ１の面から突出する凸部８２８から一方側Ｌ１に突出している。凸部８２８の外周縁には、４番車５４の大径歯車５４１との干渉を避けるための円弧状の切り欠き８２８ａが形成されている。
【００４９】
第２ケース部材２２において、他方側Ｌ２に向く部分（第１支持部材８１）には、第３支軸６３の一方側Ｌ１の端部６１ｂを支持する軸穴８１ｃと、第４支軸６４の一方側Ｌ１の端部６４ｂを支持する軸穴８１ｄとが形成されている。また、第１支持部材８１には、図４を参照して説明した位置決め突起８１５、８１６が形成されている。
【００５０】
さらに、第２ケース部材２２（第１支持部材８１）において、図２に示すアシストバネ７０の他方の端部７２が係合する溝状の凹部からなる固定側バネ係合部８１４（図７（ｇ）参照）が形成されている。
【００５１】
本形態では、図５〜図７等を参照して説明したように、３つの支持部材（第１支持部材８１、第２支持部材８２、および第３支持部材８３を軸線Ｌ方向に配置し、第１支持部材８１と第２支持部材８２との間や、第１支持部材８１と第３支持部材８３との間等を利用して輪列５０を構成する歯車（１番車５１、２番車５２、３番車５３、および４番車５４）を配置する。このため、平歯車によって、十分な減速比を有する輪列５０を構成することができるとともに、軸線Ｌ方向からみたとき、輪列５０が占有する面積が狭い。また、第１支持部材８１、第２支持部材８２、および第３支持部材８３は、第１支持部材８１に設けた位置決め突起８１５、８１６（位置決め部）を基準に位置決めされるため、支持部
材相互の位置精度が高い。特に、本形態では、第１支持部材８１が位置決め突起８１５、８１６（位置決め部）を備えているため、大きく離間した第１支持部材８１と第３支持部材８３との間でも第３支軸６３の傾きが発生しにくい。それ故、３番車５３が２番車５２や４番車５４が適正に噛合するので、大きな異音（ノイズ）が発生しにくい。
【００５２】
また、本形態の輪列５０は、他の歯車の軸に対して軸線Ｌ方向で重なる歯車を含んでいる。例えば、本形態では、１番車５１の第１支軸６１に対して４番車５４が軸線Ｌ方向で重なっている。このため、軸線Ｌ方向からみたときに輪列５０が占有する面積を狭くすることができる。
【００５３】
また、第１支持部材８１には、アシストバネ７０の端部７２が係合する固定側バネ係合部８１４が設けられている。このため、ギアードモータ１を組み立てる際、第１支持部材８１に出力軸３およびアシストバネ７０を設けておき、出力側から順に歯車を噛合させながら、第１支持部材８１に対して第２支持部材８２や第３支持部材８３を順次、組み付けていくことができる。
【００５４】
（出力軸３の構成）
図８は、本発明を適用したギアードモータ１の出力軸３の説明図であり、図８（ａ）、（ｂ）、（ｃ）、（ｄ）は、出力軸３を一方側Ｌ１からみた斜視図、出力軸３を分解した様子を一方側Ｌ１からみた分解斜視図、出力軸３を他方側Ｌ２からみた斜視図、および出力軸３の筒体３５を一方側Ｌ１からみた平面図である。
【００５５】
図２および図８に示すように、出力軸３は、回転方向の一方方向Ｒ１に付勢するアシストバネ７０が接続されたアシスト歯車になっている。本形態において、出力軸３は、外周面に歯３５３が形成された金属製の筒体３５と、筒体３５に連結された樹脂製の軸体３０とを備えている。本形態において、筒体３５は、アシストバネ７０が周りに配置される大径部３０６と、大径部３０６の先端側（一方側Ｌ１）に設けられた先端部３０１とを備えており、大径部３０６と先端部３０１との間には、２本の環状のリブ３０２で挟まれた周溝３０４が形成されている。本形態において、筒体３５は焼結部材である。
【００５６】
また、筒体３５には、アシストバネ７０の一方の端部７１が係合する可動側バネ係合部３５５が形成されている。本形態において、可動側バネ係合部３５５は、筒体３５において軸線Ｌ方向の少なくとも一方の端面で開口する係合穴からなり、可動側バネ係合部３５５（係合穴）は、筒体３５において、少なくとも軸線Ｌ方向において大径部３０６が位置する側（一方側Ｌ１）で開口している。本形態において、可動側バネ係合部３５５は、筒体３５を軸線Ｌ方向で貫通する係合穴になっており、筒体３５の軸線Ｌ方向の一方側Ｌ１の端面および他方側Ｌ２の端面の双方で開口している。
【００５７】
本形態において、歯３５３は、筒体３５のうち、角度範囲が３６０°未満の第１円弧部３５８の外周面に形成されており、筒体３５のうち、歯３５３が形成されていない第２円弧部３５７に可動側バネ係合部３５５が形成されている。
【００５８】
第２円弧部３５７の周方向の少なくとも一方の端部は、４番車５４の小径歯車５４２の歯と干渉して出力軸３の回転範囲を規制する回転規制部になっており、本形態において、第２円弧部３５７の周方向の両方の端部が回転規制部３５７ａ、３５７ｂになっている。ここで、筒体３５では、可動側バネ係合部３５５、歯３５３および回転規制部３５７ａ、３５７ｂは、軸線Ｌ方向で重なっている。すなわち、可動側バネ係合部３５５、歯３５３および回転規制部３５７ａ、３５７ｂの軸線Ｌ方向における形成範囲は、軸線Ｌに対して直交する方向からみたとき重なっている。本形態では、可動側バネ係合部３５５、歯３５３および回転規制部３５７ａ、３５７ｂは、筒体３５の軸線Ｌ方向の全体にわたって形成
されているため、可動側バネ係合部３５５、歯３５３および回転規制部３５７ａ、３５７ｂは、軸線Ｌ方向で完全に重なっている。また、可動側バネ係合部３５５、歯３５３および回転規制部３５７ａ、３５７ｂの径方向における形成範囲は、半径距離が重なっている。
【００５９】
また、第２円弧部３５７において、可動側バネ係合部３５５が形成されている角度範囲は、周方向で隣り合う個所より径方向の厚さが厚い。具体的には、筒体３５は、円筒体であることから、筒体３５と軸体３０との空周りを防止することを目的に、軸体３０において筒体３５の内側に位置する部分の外周面には径方向に突出した凹部３０７が周方向の複数個所に形成され、筒体３５の内周面には、凹部３０７に嵌る凸部３５９が形成されており、可動側バネ係合部３５５が形成されている角度範囲の内周は、周方向で凸部３５９に挟まれた個所より径方向内側に位置する。本形態において、凸部３５９および凹部３０７は軸線Ｌ方向に延在するように形成されている。なお、軸体３０において、凹部３０７が形成されている領域の軸線Ｌ方向の両側は、大径部３０６より径方向外側に突出したフランジ部３０８、３０９になっている。
【００６０】
かかる出力軸３は、筒体３５をインサート成形してなる。このため、軸体３０において筒体３５から突出している部分のうち、可動側バネ係合部３５５に対して軸線Ｌ方向で隣り合う部分は、可動側バネ係合部３５５より径方向の内側に位置する。より具体的には、軸体３０において可動側バネ係合部３５５と同一の角度位置に位置する部分では、フランジ部３０８、３０９および大径部３０６に直線状の逃がし部３０８ａ、３０９ａおよび平坦な逃がし部３０６ａが形成されており、かかる逃がし部３０６ａ、３０８ａ、３０９ａは、可動側バネ係合部３５５より径方向の内側に位置する。従って、インサート成形する際、大径部３０６およびフランジ部３０８、３０９を形成しようとする樹脂が可動側バネ係合部３５５に流れ込みにくい。
【００６１】
このように本形態では、アシストバネ７０が接続された出力軸３（アシスト歯車）は、外周面に歯３５３が形成された金属製の筒体３５と、筒体３５に連結された樹脂製の軸体３０とを備え、金属製の筒体３５にアシストバネ７０の端部７１が係合する可動側バネ係合部３５５が形成されている。このため、長期間使用しても、出力軸３においてアシストバネ７０の端部７１が当接している個所が変形することがないので、アシストバネ７０を安定した状態で接続させておくことができる。それ故、アシストバネ７０の付勢力が変化しにくい。また、軸体３０が樹脂製であるため、軽量化やコストの低減等を図ることができるとともに、種々の形状を実現できる等の利点がある。
【００６２】
また、本形態において、筒体３５が金属製であるため、可動側バネ係合部３５５が係合穴であっても、係合穴周辺は十分な強度を有する。
【００６３】
また、可動側バネ係合部３５５は、歯３５３が形成されていない第２円弧部３５７に形成されているため、歯３５３の大きさや形状等にかかわらず、サイズ等が適正な可動側バネ係合部３５５を設けることができる。
【００６４】
また、可動側バネ係合部３５５、歯３５３および回転規制部３５７ａ、３５７ｂは、軸線Ｌ方向で重なり、かつ、半径距離が重なる位置に設けられているが、筒体３５が金属製であるため、歯３５３の変形等が発生しにくい。
【００６５】
さらに、第２円弧部３５７において、可動側バネ係合部３５５が形成されている角度範囲は、周方向で隣り合う個所より径方向の厚さが厚いため、可動側バネ係合部３５５が係合穴であっても、係合穴周辺に十分な肉厚を確保することができる。従って、筒体３５を焼結等により形成するのに適している。
【００６６】
また、複数の歯車のいずれをアシストバネ７０が接続されたアシスト歯車としてもよい。但し、本形態では、出力軸３をアシストバネ７０が接続されたアシスト歯車としてある。このため、アシスト歯車の回転角度範囲が狭いので、アシストバネ７０を設けるのに適している。
【００６７】
（リード線９５の構成）
図２等に示すように、本形態では、モータ４０に対して軸線Ｌ方向の一方側Ｌ１の輪列５０が配置され、第２ケース部材２２のセンサ支持部２２５には、輪列５０に対して軸線Ｌ方向の一方側で出力軸３の角度位置を検出する検出部材９１が配置されている。本形態において、検出部材９１は、ポテンショメータであり、４番車５４の小径歯車５４２に噛合するセンサ歯車９７の軸９６が検出部材９１に連結されている。従って、センサ歯車９７の角度位置を検出部材９１によって検出すれば、出力軸３の角度位置を検出することができる。
【００６８】
本形態では、軸９６の他方側Ｌ２の端部は、センサ支持部２２５の内側に形成された支持板（図示せず）に回転可能に支持されている。また、図５に示すように、センサ支持部２２５には、センサ歯車９７を配置する穴２２７が形成されているとともに、穴２２７の周りは、センサ基板９２を支持する受け部２２９が形成されている。また、受け部２２９にはセンサ基板９２を位置決めする凸部２２９ａが形成されている。
【００６９】
ここで、ケース２の外部からモータ基板４８を介してモータ４０への給電、およびケース２の外部への検出部材９１での検出結果の出力を行う入出力部４９（コネクタ）は、モータ４０に対して他方側Ｌ２が構成されているため、検出部材９１が搭載されたセンサ基板９２から入出力部４９には複数本のリード線９５を延在させる必要がある。そこで、本形態では、輪列５０とケース２（第１ケース部材２１）との間を通る際、第３支持部材８３に形成した隔壁８３２とケース２（第１ケース部材２１）との間を通って複数本のリード線９５を延在させる。このため、輪列５０と複数本のリード線９５との間には隔壁８３２が介在することになる。ここで、隔壁８３２と第１ケース部材２１との間隔は、リード線９５において隔壁８３２と第１ケース部材２１との間以外に位置する部分の外径寸法より狭い。このため、リード線９５は、隔壁８３２と第１ケース部材２１との間に保持されるので、リード線９５が不用意に動かない。すなわち、リード線９５は、芯線の周りが可撓性の絶縁層で覆われており、図２（ａ）に示すように、リード線９５を配置した後、第１ケース部材２１を被せると、隔壁８３２と第１ケース部材２１との間で、リード線９５の絶縁層が変形し、隔壁８３２とケース２との間に保持される。
【００７０】
このように本形態では、輪列５０を挟んで反対側にモータ４０および検出部材９１を配置してあるが、モータ４０および検出部材９１に対する入出力部４９を１個所に設けてある。このため、外部との電気的な接続が容易である。この場合、リード線９５は、輪列５０とケース２との間を通ることになるが、リード線９５と輪列５０との間には隔壁８３２が介在するため、リード線９５と輪列５０に用いた歯車との接触が発生しにくい。
【００７１】
また、リード線９５は、隔壁８３２とケース２との間に保持されているため、リード線９５が不用意に動かないので、リード線９５と輪列５０に用いた歯車との接触が発生しにくい。
【００７２】
また、隔壁８３２は、モータ４０、および輪列５０を支持する第３支持部材８３に設けられているため、隔壁８３２を設けるために部材を追加する必要がない。また、第３支持部材８３には、ケース２に用いた第１ケース部材２１が軸線Ｌ方向および径方向で部分的に当接している。このため、第３支持部材８３とケース２（第１ケース部材２１）との位
置決めを行うことができるので、ケース２に対して所定の位置に隔壁８３２を設けることができる。
【００７３】
また、本形態では、リード線９５に対して周方向から離間する位置には、隔壁８３２と隔壁８３３との間には切り欠き８３８ａが形成されており、軸線Ｌ方向からみたとき、２番車５２の大径歯車５２１の一部は、切り欠き８３８ａ内に位置している。従って、隔壁８３２を設けた場合でも、隔壁８３２の切り欠き８３８ａを歯車を配置する部位として利用するため、隔壁８３２を設けた場合でも、軸線Ｌに直交する方向のギアードモータ１のサイズの増大を最小限に止めることができる。
【００７４】
この場合、リード線９５と２番車５２の大径歯車５２１とが接触するおそれが発生する。そこで、本形態では、第２支持部材８２の外縁において、フック状突起８２９と湾曲部８２１ｓとによって囲まれたリード線位置決め部８２９ａにリード線９５を通すことによって、リード線９５が切り欠き８３８ａの側に移動することを防止している。
【００７５】
ここで、フック状突起８２９は、第２支持部材８２の外縁に沿って延在した凸部からなるため、リード線位置決め部８２９ａの周方向の一方側（フック状突起８２９の先端側）が開放状態にある。従って、検出部材９１の側にリード線９５を接続した後、リード線位置決め部８２９ａの周方向の一方側（フック状突起８２９の先端側）からリード線位置決め部８２９ａの内側にリード線９５を通すことができる。
【００７６】
また、本形態では、ケース２では、軸線Ｌ方向においてリード線位置決め部８２９ａから一方側Ｌ１には、第２ケース部材２２の筒部２２１の外周面に径方向外側に突出する凸部２２６が形成されている。ここで、凸部２２６は、軸線Ｌ方向からみたとき、センサ基板９２とリード線位置決め部８２９ａとの間に位置し、それ故、軸線Ｌ方向からみたとき、センサ基板９２とリード線位置決め部８２９ａとの間には、凸部２２６の一方側Ｌ１に凸部２２６に起因する段部からなるガイド部２２６ａが形成されている。従って、ガイド部２２６ａは、リード線９５を軸線Ｌ方向に対して交差する方向にガイドし、リード線９５の弛みを抑制する。従って、リード線９５が不要に移動しないので、切り欠き８３８ａ内に位置する２番車５２の大径歯車５２１に接触しにくい。
【００７７】
（他の実施の形態）
図９は、本発明を適用した別のギアードモータ１における支持部材の位置決め構造を模式的に示す説明図であり、図９（ａ）、（ｂ）は変形例１の説明図、および変形例２の説明図である。
【００７８】
上記実施の形態では、第１支持部材８１に形成した共通の位置決め突起８１５、８１６によって第２支持部材８２および第３支持部材８３の位置決めを行ったが、図９（ａ）に示すように、第１支持部材８１の位置決め突起８１５によって第１支持部材８１と第２支持部材８２との位置決めを行い、第１支持部材８１の位置決め突起８１６によって第１支持部材８１と第２支持部材８２との位置決めを行ってもよい。
【００７９】
また、上記実施の形態では、第１支持部材８１を基準に第２支持部材８２および第３支持部材８３の位置決めを行ったが、図９（ｂ）に示すように、第２支持部材８２を基準に第１支持部材８１および第３支持部材８３の位置決めを行ってもよい。具体的には、第２支持部材８２の位置決め突起８２５ｅを第１支持部材８１の位置決め穴８１５ｅに嵌めて第１支持部材８１と第２支持部材８２との位置決めを行い、第２支持部材８２の位置決め突起８２５ｆを第３支持部材８３の位置決め穴８３５ｆに嵌めて第２支持部材８２と第３支持部材８３との位置決めを行ってもよい。
【００８０】
なお、上記実施の形態では、３つの支持部材において、軸線Ｌ方向の一方側Ｌ１から他方側Ｌ２に第１支持部材８１、第２支持部材８２および第３支持部材８３が配置されている例であったが、軸線Ｌ方向の他方側Ｌ２から一方側Ｌ１に第１支持部材８１、第２支持部材８２および第３支持部材８３が配置されている場合に、上記の位置決め構造を採用してもよい。
【符号の説明】
【００８１】
１・・ギアードモータ、２・・ケース、３・・出力軸、４・・駆動機構、１０・・蓋材、２１・・第１ケース部材、２２・・第２ケース部材、２５・・カバー、３０・・軸体、３５・・筒体、４０・・モータ、４９・・入出力部、５０・・輪列（減速輪列）、５１・・１番車、５２・・２番車、５３・・３番車、５４・・４番車、６１・・第１支軸、６２・・第２支軸、６３・・第３支軸、６４・・第４支軸、７０・・アシストバネ、７１、７２・・アシストバネの端部、８１・・第１支持部材、８２・・第２支持部材、８３・・第３支持部材、９１・・検出部材、９５・・リード線、１００・・自動開閉ユニット、２２６ａ・・ガイド部、３０６ａ・・逃がし部、３０８ａ、３０９ａ・・逃がし部、３５３・・歯、３５５・・可動側バネ係合部、３５７・・第２円弧部、３５７ａ、３５７ｂ・・回転規制部、３５８・・第１円弧部、３５９・・凸部、３０７・・凹部、８１４・・固定側バネ係合部、８１５、８１６・・位置決め突起、８２９・・フック状突起、８２９ａ・・リード線位置決め部、８３２・・隔壁、８３８ａ・・切り欠き
【図１】
0006456060.tif 000002
【図２】
0006456060.tif 000003
【図３】
0006456060.tif 000004
【図４】
0006456060.tif 000005
【図５】
0006456060.tif 000006
【図６】
0006456060.tif 000007
【図７】
0006456060.tif 000008
【図８】
0006456060.tif 000009
【図９】
0006456060.tif 000010